(57)【要約】【課題】高齢者など比較的力の弱い者であっても押圧部に強い力や適度な力を容易に与えることができる指圧具を低コストで提供する。【解決手段】一端近傍に把持部２２を有する棒状部材２０と、棒状部材２０の他端近傍に取り付けられた環状のベルト部材４０と、棒状部材２０の中央部と他端との間に当該棒状部材２０から突起するように設けられた指圧部材３０とによって指圧具１０が構成される。ベルト部材４０は、当該ベルト部材４０によって形成される環状部分の長さの調節が可能に構成される。使用者は、座位する際に臀部と座板等とで当該ベルト部材４０の一部を挟持し、指圧部材３０を押圧部に当てた状態で、棒状部材２０の他端がテコの原理における支点、棒状部材２０の一端が力点、指圧部材３０が作用点となるように、ベルト部材４０を張りのある状態にする。【選択図】図１
0003143659.tif 000002
【実用新案登録請求の範囲】
【請求項１】
一端近傍に把持部を有する棒状部材と、
前記棒状部材の他端近傍に取り付けられた環状のベルト部材と、
前記棒状部材の中央部と他端との間に前記棒状部材から突起するように設けられた指圧部材と
を備えることを特徴とする、指圧具。
【請求項２】
前記ベルト部材によって形成される環状部分の長さを調節するベルト長調節手段を更に備えることを特徴とする、請求項１に記載の指圧具。
【請求項３】
前記棒状部材には、前記指圧部材を取り付けるための指圧部材取付部が設けられ、
前記指圧部材取付部への前記指圧部材の取り付けおよび前記指圧部材取付部からの前記指圧部材の取り外しが可能に構成されていることを特徴とする、請求項１または２に記載の指圧具。
【請求項４】
前記棒状部材には、複数の前記指圧部材取付部が設けられていることを特徴とする、請求項３に記載の指圧具。
【請求項５】
前記指圧部材は、前記棒状部材の中央部と他端との間の一部の区間でスライド可能に構成されていることを特徴とする、請求項１または２に記載の指圧具。
【請求項６】
前記棒状部材は、前記指圧部材が固定された状態において前記棒状部材の一端が前記指圧部材の突起方向と略平行方向に可動となるよう、弾性を有することを特徴とする、請求項１から５までのいずれか１項に記載の指圧具。
【考案の詳細な説明】
【技術分野】
【０００１】
本考案は、指圧具に関し、詳しくは主に肩や首を指圧するために人が把持して使用する指圧具に関する。
【背景技術】
【０００２】
従来より、肩や首のツボや凝り部分を押圧するために人が手に持って使用する指圧具が知られている。この指圧具は、典型的には、一端近傍に把持部、他端近傍に指圧用の突起が設けられた棒状部材によって構成されている。使用者は、肩や首の押圧したい部分（以下、「押圧部」という。）に棒状部材の突起部分を当てて、把持部を握って、押圧部に力を加える。
【０００３】
ところで、従来の指圧具によると、使用者にとっては、押圧部に強い力を与えることが困難である。そこで、特許文献１および特許文献２には、棒状部材の一端に紐が取り付けられた指圧具の発明・考案が開示されている。これらの指圧具によると、一方の手で棒状部材を把持し、他方の手で紐を引っ張ることにより、従来よりも弱い力で比較的強い力を押圧部に与えることができる。
【０００４】
また、特許文献３および特許文献４には、指圧用の突起を有する棒状部材、座板、および棒状部材と座板とを連結する手段とから成る指圧具の考案が開示されている。これらの指圧具によると、使用者が座板に座位することによって指圧具は比較的安定な状態となる。そして、棒状部材の端部（使用者が把持する方とは異なる方の端部）がテコの原理における支点の役割を果たし、使用者にとっては比較的弱い力で押圧部に強い力を与えることができる。
【特許文献１】特開２００３−１３５５５８号公報
【特許文献２】登録実用新案第３０４７６２６号公報
【特許文献３】実開昭５１−１８０９３号公報
【特許文献４】登録実用新案第３０５３１５９号公報
【考案の開示】
【考案が解決しようとする課題】
【０００５】
ところが、上記特許文献１および特許文献２に開示された指圧具によると、指圧具を使用する際、使用者は双方の手を使わなければならない。また、高齢者等にとっては、押圧部に適度な力を与えることは困難である。また、特許文献３および特許文献４に開示された指圧具によると、比較的多くの部材を要するので、高コストとなる。
【０００６】
そこで、本考案では、高齢者など比較的力の弱い者であっても押圧部に容易に強い力や適度な力を与えることができる指圧具を低コストで提供することを目的とする。
【課題を解決するための手段】
【０００７】
第１の考案は、一端近傍に把持部を有する棒状部材と、
前記棒状部材の他端近傍に取り付けられた環状のベルト部材と、
前記棒状部材の中央部と他端との間に前記棒状部材から突起するように設けられた指圧部材と
を備えることを特徴とする。
【０００８】
第２の考案は、第１の考案において、
前記ベルト部材によって形成される環状部分の長さを調節するベルト長調節手段を更に備えることを特徴とする。
【０００９】
第３の考案は、第１または第２の考案において、
前記棒状部材には、前記指圧部材を取り付けるための指圧部材取付部が設けられ、
前記指圧部材取付部への前記指圧部材の取り付けおよび前記指圧部材取付部からの前記指圧部材の取り外しが可能に構成されていることを特徴とする。
【００１０】
第４の考案は、第３の考案において、
前記棒状部材には、複数の前記指圧部材取付部が設けられていることを特徴とする。
【００１１】
第５の考案は、第１または第２の考案において、
前記指圧部材は、前記棒状部材の中央部と他端との間の一部の区間でスライド可能に構成されていることを特徴とする。
【００１２】
第６の考案は、第１から第５までのいずれかの考案において、
前記棒状部材は、前記指圧部材が固定された状態において前記棒状部材の一端が前記指圧部材の突起方向と略平行方向に可動となるよう、弾性を有することを特徴とする。
【考案の効果】
【００１３】
上記第１の考案によれば、指圧具を構成する棒状部材の他端（把持部のある端部とは異なる方の端部）に環状のベルト部材が取り付けられており、使用者は、座位する際に臀部と座板等とで当該ベルト部材の一部を挟持することができる。そして、押圧したい部分（押圧部）に指圧部材が当てられた状態で使用者によってベルト部材が張りのある状態にされると、棒状部材の他端はテコの原理における支点、棒状部材の一端は力点、指圧部材は作用点となり、指圧具は安定した状態となる。このため、使用者は、比較的弱い力で押圧部に強い力を与えることができる。これにより、使用者は、棒状部材の一端（テコの原理における力点）に加える力を調節することによって、押圧部に適度な力を与えることができる。また、使用者が背筋を伸ばしたり曲げたりすることによって、ベルト部材の張り具合は変化する。このため、使用者は、押圧部に与えられる力の大きさを容易に調節することができる。さらに、ベルト部材が環状になっているので、指圧具の使用中に棒状部材の把持部の位置を変えてもベルト部材の張りのある状態が維持されやすい。このため、押圧部に対して様々な方向から強い力を与えることが可能となる。
【００１４】
上記第２の考案によれば、ベルト部材の環状部分の長さは使用者によって調節され得る。この指圧具の使用状態において使用者の姿勢が一定であれば、ベルト部材の張り具合は当該ベルト部材の環状部分の長さに応じて変化する。このため、使用者は、ベルト部材の張り具合を調節することができる。これにより、使用者は、押圧部に与えられる力の大きさを好みに応じて調節することができる。
【００１５】
上記第３の考案によれば、棒状部材に設けられる指圧部材の付け替えが可能に構成されている。このため、予め複数の指圧部材を用意しておくことにより、使用者の好みに応じた指圧部材を棒状部材に取り付けることが可能となる。
【００１６】
上記第４の考案によれば、押圧部に与えられるべき力の大きさや押圧部の場所（部位）などの使用者の好みに応じて、棒状部材上における指圧部材の取り付け位置を異ならせることができる。
【００１７】
上記第５の考案によれば、押圧部に与えられるべき力の大きさや押圧部の場所（部位）などの使用者の好みに応じて、棒状部材上における指圧部材の取り付け位置を比較的容易に異ならせることができる。
【００１８】
上記第６の考案によれば、使用者にとって、押圧部への微妙な力加減が可能となる。
【考案を実施するための最良の形態】
【００１９】
以下、添付図面を参照しつつ、本考案の一実施形態について説明する。
【００２０】
＜１．指圧具の全体構成＞
図１は、本考案の一実施形態に係る指圧具１０の全体構成を示す斜視図である。この指圧具１０は、一端近傍に把持部２２を有する棒状部材２０と、棒状部材２０の他端近傍に取り付けられた環状のベルト部材４０と、棒状部材２０の中央部と他端との間に当該棒状部材２０から突起するように設けられた指圧部材３０とによって構成されている。ベルト部材４０は、図１に示すように、一部が環状に形成されたベルト部材取付手段５０によって棒状部材２０に取り付けられている。なお、典型的には、指圧部材３０は硬質プラスチックで形成され、当該指圧部材３０の先端部は略半球形状となっている。
【００２１】
＜２．棒状部材の構成＞
図１に示すように、棒状部材２０の一端には、この指圧具１０の使用に際して使用者が（指圧具１０を）把持するための把持部２２が設けられている。この把持部２２には、使用者が（把持部２２を）把持しやすいように図２に示すように複数の凹部２３が設けられている。棒状部材２０の他端には、当該棒状部材２０にベルト部材４０を取り付けるためのベルト部材取付手段５０が設けられている。また、棒状部材２０には、必要に応じて当該棒状部材２０への指圧部材３０の取り付けおよび当該棒状部材２０からの指圧部材３０の取り外しが可能となるように、複数の指圧部材取付部２４が設けられている。
【００２２】
この棒状部材２０は、典型的には硬質のプラスチックで形成され、指圧部材３０が固定された状態において棒状部材２０の一端が指圧部材３０の（棒状部材２０からの）突起方向と略平行方向に可動となるよう（図３参照）弾性を有している。このため、使用者にとっては、押圧部への微妙な力加減が可能となる。
【００２３】
＜３．ベルト部材の構成＞
図４は、本実施形態におけるベルト部材４０の詳細な構成を示す図である。このベルト部材４０は、ベルト本体４２と、当該ベルト本体４２に取り付けられた面ファスナー４４，４６と、バックル７０とによって構成されている。なお、面ファスナー４４，４６のうち一方はループで、他方はフックとなっている。また、ベルト本体４２は、典型的には、織物などの布によって形成されている。
【００２４】
図４で符号８０で示す部分のように、ベルト本体４２の一端はそれに対向する部分に縫い付けられている。一方、ベルト本体４２の他端近傍については、ベルト本体４２の長手方向について比較的短い長さの面ファスナー４６と比較的長い長さの面ファスナー４４とが所定の距離をおいてベルト本体４２に取り付けられている。そして、図４で符号８２で示す部分のように、バックル７０部分でベルト本体４２が折り返されることによって面ファスナー４４，４６が互いに係合可能となるよう構成されている。以上のようにベルト部材４０が構成されているので、面ファスナー４４，４６のループとフックとが互いに係合する位置を必要に応じて異ならせることができ、これによりベルト部材４０によって形成される環状部分の長さが調節される。例えば、図５（ａ）に示すように面ファスナー４４，４６が互いに係合されると、ベルト部材４０の環状部分の長さは比較的短くなる。一方、図５（ｂ）に示すように面ファスナー４４，４６が互いに係合されると、ベルト部材４０の環状部分の長さは比較的長くなる。以上のように、本実施形態においては、面ファスナー４４，４６とバックル７０とによってベルト長調節手段が実現され、ベルト部材４０によって形成される環状部分の長さが調節可能となっている。
【００２５】
＜４．棒状部材への指圧部材の取り付け＞
図６は、本実施形態において、棒状部材２０への指圧部材３０の取り付けについて説明するための図である。本実施形態においては、図６（ａ）に示すように、指圧部材３０の内部には雌ネジ３２が形成されている。また、棒状部材２０には、指圧部材取付部２４としての貫通穴が設けられている。この貫通穴に雄ネジ６０が挿通され、雄ネジ６０と雌ネジ３２とが螺合されることによって、図６（ｂ）に示すように、指圧部材３０が棒状部材２０に固定される。以上のような構成により、棒状部材２０への指圧部材３０の取り付けや当該棒状部材２０からの指圧部材３０の取り外しが可能となっている。このため、図７に示すように、大きさや材質の異なる複数の指圧部材３０を予め用意しておくことによって、使用者の好みに応じた指圧部材３０を棒状部材２０に取り付けることが可能となる。また、本実施形態においては、棒状部材２０には複数個の貫通穴が設けられている。このため、棒状部材２０上における指圧部材３０の取り付け位置を、押圧部に与えられるべき力の大きさや押圧部の場所（部位）などの使用者の好みに応じて異ならせることが可能となる。
【００２６】
＜５．効果＞
図８および図９は、本実施形態に係る指圧具１０の使用状態を示す図である。なお、使用者が指圧具１０を右手で把持して右肩部分を押圧している状態を図８に示し、使用者が指圧具１０を左手で把持して右肩部分を押圧している状態を図９に示している。本実施形態によれば、指圧具１０を構成する棒状部材２０の他端（使用者が把持する方とは異なる方の端部）には、環状のベルト部材４０が設けられている。このため、使用者は、図８や図９に示すように、座位する際に臀部と座板とでベルト部材４０の一部を挟持することができる。この状態で使用者がベルト部材４０を張りのある状態にすることによって、棒状部材２０の他端はテコの原理における支点、棒状部材２０の一端は力点、指圧部材３０は作用点となり、指圧具１０は安定した状態となる。また、棒状部材に紐が取り付けられた従来の指圧具とは異なり、使用者は、この指圧具１０を片手で支持することができる。以上より、使用者は、比較的弱い力で押圧部に強い力を与えることができる。このため、使用者は、力点（棒状部材２０の一端）に加える力を調節することによって、適度な力を容易に押圧部に与えることができる。また、使用者が背筋を伸ばしたり曲げたりすると、ベルト部材４０の張り具合は変化する。このため、使用者自身によってベルト部材４０の張り具合を異ならせることができ、使用者は、押圧部に与えられる力の大きさを容易に調節することができる。
【００２７】
また、本実施形態によれば、押圧部に対して強い力を与えることのできる（方向の）範囲が従来の指圧具よりも大きくなる。これについて、図１０から図１３を参照しつつ説明する。図１０は、人の後ろ姿を示している。図１０の或る押圧部に着目したとき、使用者は当該押圧部に対して図１０（ａ）で示すような方向に力を与えたいこともあれば、図１０（ｂ）で示すような方向あるいは図１０（ｃ）で示すような方向に力を与えたいこともある。
【００２８】
ここで、従来の指圧具のように棒状部材の端部（把持部のある端部とは異なる方の端部）に環状ではない部材（ここでは「否環状部材」という。）が取り付けられている場合、棒状部材を構成する面のうち指圧部材が取り付けられている面とは反対側の面の上方から指圧具を見たときに、「否環状部材の端部（棒状部材に取り付けられている端部とは異なる方の端部）」（図１１において符号９０で示す部分）と「棒状部材上において指圧部材が取り付けられている位置」（図１１において符号９１で示す部分）と「棒状部材の把持部」（図１１において符号９２で示す部分）とが一直線上に位置するときに押圧部に対して最も強い力が与えられる。何故ならば、上記符号９０〜９２の部分が一直線上に位置する状態のときには、否環状部材が張りのある状態になっているからである。ここで、図１０（ａ）で示すような方向に力を与えたいときには、図１２に示すように否環状部材の端部９０を配置させると、上記符号９０〜９２の部分が図１１（ａ）に示すように一直線上に位置し、押圧部に強い力が与えられる。ところが、この状態で図１０（ｂ）で示すような方向に力を与えようとすると、上記符号９０〜９２の部分の位置関係は図１１（ｂ）に示すようなものとなる。このとき、否環状部材の張り具合が弱くなるので、押圧部には強い力が与えられない。
【００２９】
一方、本実施形態に係る指圧具のように棒状部材の端部に環状部材が取り付けられている場合、図８や図９からも把握されるように、使用時には、図１３で符号９３から符号９４にかけての部分が、臀部と座板等とで挟持されて固定される。このような状態において、図１３（ａ）に示すように符号９５〜９７の部分が一直線上に位置するときには、ベルト部材のうち符号９８，９９で示す部分が張りのある状態となっている。このため、押圧部には強い力が与えられる。また、図１３（ｂ）に示すように符号９３，９６，９７の部分が一直線上に位置するときには、ベルト部材のうち符号９８で示す部分が張りのある状態となり、押圧部に強い力が与えられる。さらに、図１３（ｃ）に示すように符号９４，９６，９７の部分が一直線上に位置するときには、ベルト部材のうち符号９９で示す部分が張りのある状態となり、押圧部に強い力が与えられる。このため、例えば図１０（ａ）〜（ｃ）に示したような様々な押圧方向に対しても、強い力を与えることができる。このように、本実施形態によれば、押圧部に対して様々な方向から強い力を与えることが可能となる。
【００３０】
また、本実施形態によれば、図５に示したように、ベルト部材４０の環状部分の長さが調節可能に構成されている。当該環状部分の長さを調節することによってベルト部材４０の張り具合を異ならせることができるので、使用者は、押圧部に与えられる力の大きさを容易に調節することができる。また、比較的背の高い人から比較的背の低い人までが１つの指圧具１０を使用することが可能となる。
【００３１】
さらに、本実施形態によれば、複数個の指圧部材取付部（貫通穴）２４が棒状部材２０に設けられている。このため、複数の指圧部材３０を予め用意しておくことにより使用者の好みに応じた指圧部材３０を棒状部材２０に取り付けることが可能になるとともに、使用者の好みに応じた（棒状部材２０上における）位置に指圧部材３０を取り付けることが可能となる。
【００３２】
さらにまた、本実施形態によれば、比較的少ない部材で指圧具１０が構成されている。このため、比較的弱い力で押圧部に強い力を与えることができる指圧具を従来よりも低コストで提供することができる。
【００３３】
＜６．変形例＞
上記実施形態においては、棒状部材２０に複数の貫通穴を備える構成とすることによって当該棒状部材２０上における指圧部材３０の取り付け位置が可変となっていたが、本考案はこれに限定されない。例えば、図１４に示すように、棒状部材２０の中央部と他端との間の一部の区間で指圧部材３０がスライド可能に構成されていても良い。このように指圧部材３０をスライド可能にすることによって、押圧部に与えられるべき力の大きさや押圧部の場所（部位）などの使用者の好みに応じて、棒状部材２０上における指圧部材３０の取り付け位置を比較的容易に異ならせることができる。
【図面の簡単な説明】
【００３４】
【図１】本考案の一実施形態に係る指圧具の全体構成を示す図である。
【図２】上記実施形態において、指圧具の把持部の構成を示す図である。
【図３】上記実施形態において、棒状部材の弾性について説明するための図である。
【図４】上記実施形態において、ベルト部材の構成を示す図である。
【図５】上記実施形態において、ベルト部材の長さの調節について説明するための図である。
【図６】上記実施形態において、棒状部材への指圧部材の取り付けについて説明するための図である。
【図７】上記実施形態において、棒状部材への指圧部材の取り付けについて説明するための図である。
【図８】上記実施形態において、指圧具の使用状態を示す図である。
【図９】上記実施形態において、指圧具の使用状態を示す図である。
【図１０】上記実施形態における効果について説明するための図である。
【図１１】上記実施形態における効果について説明するための図である。
【図１２】上記実施形態における効果について説明するための図である。
【図１３】上記実施形態における効果について説明するための図である。
【図１４】上記実施形態の変形例について説明するための図である。
【符号の説明】
【００３５】
１０…指圧具
２０…棒状部材
２２…把持部
２４…指圧部材取付部
３０…指圧部材
３２…雌ネジ
４０…ベルト部材
４２…ベルト本体
４４，４６…面ファスナー
５０…ベルト部材取付手段
６０…雄ネジ
７０…バックル
【図１】
0003143659.tif 000003
【図２】
0003143659.tif 000004
【図３】
0003143659.tif 000005
【図４】
0003143659.tif 000006
【図５】
0003143659.tif 000007
【図６】
0003143659.tif 000008
【図７】
0003143659.tif 000009
【図８】
0003143659.tif 000010
【図９】
0003143659.tif 000011
【図１０】
0003143659.tif 000012
【図１１】
0003143659.tif 000013
【図１２】
0003143659.tif 000014
【図１３】
0003143659.tif 000015
【図１４】
0003143659.tif 000016